(57)【要約】【課題】壁面に対する壁紙の施工を簡便に行い得ると共に、容易に壁紙を交換することができ、部屋の雰囲気を所望の壁紙によるデザインで代えることができる壁材、ならびに該壁材を用いた壁面に対する壁紙の簡易施工方法を提供すること。【解決手段】少なくとも壁紙の裏面の一部または全面に、面ファスナーの雄または雌部材が設けられ、施工面にそれに対応した面ファスナーが設けられ、施工が容易であることを特徴とする簡易施工用の壁材である。また、かかる壁材の施工方法は、下地材の施工面の表面に、面ファスナーの雄または雌部材を接着剤等により固定し、それに相対応して繋合・固定が可能な面ファスナーの雄または雌部材を壁紙裏面に積層した壁材となし、当該壁材と下地材を該面ファスナーの繋合によって固定することを特徴とする壁材の簡易施工方法である。【選択図】          図１
2005016169.tif 000002
【特許請求の範囲】
【請求項１】
少なくとも壁紙の裏面の一部または全面に、面ファスナーの雄または雌部材が設けられ、施工面にそれに対応した面ファスナーが設けられ、施工が容易であることを特徴とする簡易施工用の壁材。
【請求項２】
壁紙を施工する施工面の表面に、面ファスナーの雄または雌部材を設け、それに相対応して繋合・固定が可能な面ファスナーの雄または雌部材を壁紙裏面に積層した壁材となし、当該壁材と下地材を該面ファスナーの繋合によって固定することを特徴とする壁材の簡易施工方法。
【発明の詳細な説明】
【０００１】
【発明の属する技術分野】
本発明は、壁等の下地材の表面に簡便に固定施工し得る壁材、ならびに該壁材を用い、壁面となる下地材上に壁紙を簡易に施工することができる施工方法に関する。
【０００２】
【従来の技術】
壁紙は通常、ピールアップ性のある裏打紙上に、塩化ビニル系樹脂、オレフィン系樹脂、紙等を積層し、ロータリースクリーン法、グラビア印刷法によりエンボス加工等の表面意匠を施し、所望の大きさに裁断することにより製造されている。かくして製造された壁紙は、通常、壁面下地材となる石膏ボード等の表面に壁紙用の施工接着剤を用いて接着施工され、室内の内装が完了する。
【０００３】
ところで、上記の壁紙を張り替える場合には、先ず、既に貼着してある壁紙を剥離し、その後に新たな壁紙を貼着するが、このときの剥離作業を容易にするために、裏打紙として、所定位置にて比較的容易に層間剥離することができ、かつ剥離後の壁面には、表面が略平坦な薄層のみが残るようにした（いわゆるピールアップ性を付与した）裏打紙を使用するのが一般的である。
【０００４】
しかし、リフォームとして壁紙を張り替える場合、長期間の使用、および使用環境の影響で壁紙が容易に剥離しない場合がある。この場合、張替え作業に要する手間、費用の面から効率が悪くなるといった問題がある。
また、非防火仕上げの場合、剥離後の壁面に残った裏打紙が不均一に剥離したり、下地が石膏ボードの場合は石膏ボードの表層紙と共に剥離したりしてしまい、下地が凹凸になる場合がある。この場合、壁紙を施工する前に補修用パテ等を用いて壁面を平滑にする必要が生じるが、やはり張替えに要する時間、費用の面から非常に効率が悪くなる問題がある。
【０００５】
さらにまた、一般消費者が個人で壁紙を張り替える場合、施工済みの壁紙の上から直接重ねて施工することがあるが、特に既施工壁紙が合成樹脂製壁紙の場合、一般的に使用されているデンプン系の壁紙施工用接着剤では充分な接着が得られず、使用環境によっては、徐々に剥離する等の不都合が発生する場合がある。
【０００６】
また、壁面の内装施工は、専用の壁紙用糊付け機、施工用工具類を用いて施工するために、一般的には専門の内装施工業者による処が非常に多く、内装施工経験のない一般消費者が個人で行うことは難しく、一般消費者からも敬遠されてきた。
【０００７】
このような困難な壁紙の施工を解決する手段として、例えば壁紙貼着用テープ（特許文献１）あるいは粘着剤付き壁紙（特許文献２）等が提案されているが、かかる壁紙貼着用テープあるいは粘着剤付き壁紙を用いた施工方法にあっても、壁紙を下地面に全面接着するものであり、施工のみならず古くなった壁紙の剥離は必ずしも簡便なものとはいい難く、いまだ十分なものとはいえない。
【０００８】
【特許文献１】
特開平１１−３６５４９号公報
【特許文献２】
特開平１１−２２２７９９号公報
【０００９】
【発明が解決しようとする課題】
したがって本発明は、かかる現状下において、壁面に対する壁紙の施工を簡便に行い得ると共に、容易に壁紙を交換することができ、部屋の雰囲気を所望の壁紙によるデザインで代えることができる壁材、ならびに該壁材を用いた壁面に対する壁紙の簡易施工方法を提供することを課題とする。
【００１０】
かかる課題を解決するために、本発明者はいわゆる面ファスナーによる壁紙の固定施工に着目した。その結果、面ファスナーを使用することにより、短期間で、簡便かつ安価に施工が可能であり、しかも剥離がきわめて容易な壁紙を積層した壁材、および当該壁材を壁面に固定・施工しうる方法を見出し、本発明を完成させるに至った。
【００１１】
【課題を解決するための手段】
したがって本発明の壁材は、少なくとも壁紙の裏面の一部または全面に、面ファスナーの雄または雌部材が設けられ、施工面にそれに対応した面ファスナーが設けられ、施工が容易であることを特徴とする簡易施工用の壁材である。
【００１２】
また、本発明が提供する壁材の施工方法は、壁紙を取り付けるべき下地材の施工面の表面に、面ファスナーの雄または雌部材を設け、それに相対応して繋合・固定が可能な面ファスナーの雄または雌部材を壁紙裏面に積層した壁材となし、当該壁材と下地材を該面ファスナーの繋合によって固定することを特徴とする壁材の簡易施工方法である。
【００１３】
すなわち、本発明が提供する壁材にあっては、少なくとも壁紙の裏面の一部または全面に面ファスナーの雄部材（フック面）もしくは雌部材（ループ面）をラミネートし、壁面表面上に対応する面ファスナーのフック面もしくはループ面を接着等により固定し、面ファスナーの繋合により壁材を取り付けることにより壁紙を固定・施工する点に特徴を有するものである。
【００１４】
具体的には、面ファスナーのループ材またはフック材を、施工済みの壁紙の表面、あるいは下地材としての石膏ボード表面に接着剤等を用いて固定する。したがって、壁紙の裏面側には、前記のループ材またはフック材に相対応して繋合固定する面ファスナーが積層されていることより、壁材は、面ファスナーの繋合により施工済みの壁紙の表面、壁紙を剥離した壁面に残った裏打紙の薄層の表面、あるいは下地材としての石膏ボード表面に固定され、その結果、壁紙の施工を行い得るのである。
【００１５】
この壁材の施工による壁紙の固定は、接着剤塗布による施工と異なり、面ファスナーによる施工のため、作業性がよく、一般消費者であっても簡単に作業し得る特徴を有している。また、面ファスナーによる固定施工であるため、壁紙の剥離も非常に簡便なものであり、その結果、壁紙を容易に取り替えることができ、生活様式の変化に合わせ、好みに応じた壁紙を壁面に施工しうる利点を有している特徴を有する。
【００１６】
さらに、既設施工した壁紙の腰壁部分に本発明の壁材を用いて壁紙を固定すれば、腰壁部分の汚れに応じ、適宜腰壁部分を取り替えることが可能となり、いつでも清潔な壁面を有する部屋にしておくことができる特徴を有している。
【００１７】
さらにまた本発明は、部屋の壁面に対する壁紙の簡便な施工のみならず、家具等が古くなった場合に、その家具の表面上を所望の意匠を有する壁紙で被覆し得るものでもある。
【００１８】
【発明の実施の形態】
以下に本発明をさらに詳細に説明していく。
本発明が提供する壁材において、壁紙の裏面に積層する面ファスナーとは、互いに繋合する一対の面状の要素からなる、繋合・脱着自在な可撓性の固定部材であって、例えば、マジックテープ（登録商標）、ベルクロファスナー（登録商標）、クイックロン（登録商標）等の商品名で製品化されているものである。
【００１９】
詳細には、本発明で使用する面ファスナーは、布または合成樹脂等の可撓性の支持体表面に、微細な可撓性の鉤状体を多数密稙された、いわゆる雄型（フック材）と、同様の支持体の表面に繊維状材質からなる微細なループが多数密稙されたもの、あるいは織布、不織布等であり、その表面が繊維で絡み合って起毛している、いわゆる雌型（ループ材）との一対の面状構造からなるものである。
【００２０】
なお、本発明においては、面ファスナーとして各種商品化されている従来の特別な面ファスナーを使用するばかりでなく、例えば、雄部材（フック部材）に対応して繋合・脱着し得る雌部材であれば、どのようなものでも使用可能であり、一般に市販されている起毛状の織布や不織布と組合せてもよく、本発明においてはこれらの織布、不織布も面ファスナーの一部を構成する。
【００２１】
本発明が提供する壁材にあっては、具体的な構成としては、面ファスナーのループ材あるいはフック材を、壁紙の裏面の全面または一部に積層一体化させることにより得ることができる。例えば、既存の壁紙の裏に接着剤を用いて積層一体化してもよい。この場合に使用される接着剤は、特に限定されものではなく、ウレタン樹脂系接着剤、アクリル樹脂系接着剤、酢酸ビニル樹脂系接着剤等、各種の樹脂系接着剤を使用することができる。
【００２２】
なお、本発明が提供する壁材の製造にあっては、面ファスナーのループ材あるいはフック材を通常使用される裏打紙にかえて裏打紙として使用し、面ファスナーの裏面部に塩化ビニルペーストゾル、水性オレフィンエマルジョン、オレフィン樹脂、紙等を使用して直接表面加工を施すことにより、ループ材あるいはフック材に壁紙を積層させた壁材を調製することもできる。この方法にあっては、接着剤を使用しないで壁紙裏面に面ファスナーのループ材あるいはフック材を積層できることとなり、生産効率がよいものとなる。
【００２３】
なお、壁紙裏面に積層一体化させる面ファスナーは、壁紙の裏面全面に亘って積層させる必要はない。壁材を面ファスナーにより壁面の繋合固定するのに充分な面への積層が確保されていればよい。しかしながら、壁紙を所望の大きさに裁断して使用する場合があることを考慮すると、裏面全体に亘って積層しておくのが好ましい。
【００２４】
一方、壁材に対する下地材としての壁面側にも面ファスナーを接着等により積層固定する。この場合にあっては、壁紙裏面に積層される面ファスナーと、下地材としての壁面上に設けられる面ファスナーは、繋合固定し得るよう相対応したフック材およびループ材になるように組み合わされることが必要である。
【００２５】
この場合にあっても、壁面表面に積層させる面ファスナーは、壁面の全面に亘って積層させる必要はない。壁材を面ファスナーにより壁面の繋合固定するのに充分な面への積層が確保されていればよい。
【００２６】
なお、面ファスナーの積層固定には、接着剤を用いて行うことができるが、予め粘着加工を施した面ファスナーを使用することもできる。なお、粘着加工が施されている面ファスナーを使用すると、接着剤による汚れの発生を防止することができ、作業性が好ましいものとなる。
【００２７】
本発明が提供する壁材にあっては、壁紙の裏面側に積層する面ファスナーとして、ループ材あるいはフック材のうち、どちらの材料を積層してもよい。しかしながら、壁紙の裏面側にはループ材（いわゆる雌型）を積層させるのが好ましく、それに対応して壁面表面側には面ファスナーのフック材（いわゆる雄型）を接着させるのが好ましい。ループ材を壁紙側に使用することにより、裏打紙と同様に扱い易いものとなるので、生産性に支障をきたすことがない。
【００２８】
面ファスナーのループ材あるいはフック材を構成する素材としては、例えばループ材の場合には、不織布、織布をあげることができ、その表面が起毛的になっている織布であればどのようなものも使用することができる。具体的には、例えば、ＴＲ５０２４（住友スリーエム社製）、ＳＪ−３４０１（ナイロン製：住友スリーエム社製）等をあげることができる。
【００２９】
また、フック材としては、ＳＪ−３４０２（ナイロン製：住友スリーエム社製）、ＮＣ−２０４１（ポリプロピレン製：住友スリーエム社製）等をあげることができる。
【００３０】
以下に、本発明の更なる具体的な実施の形態について、実施例を示した図面を参照しつつ詳細に説明する。
【００３１】
図１は、本発明が提供する壁材が面ファスナーの繋合により固定される前の状態の一実施例に基づく壁材の断面図、および壁材が固定される側の壁面の断面図を示した。（ａ）は、壁材１の断面図であり、（ｂ）は壁面５の断面図である。
【００３２】
すなわち、本発明の壁材１は、壁紙２、例えば具体的にはビニル樹脂、オレフィン系樹脂、紙等を積層し、グラビア印刷法等により表面化粧（意匠）を施された壁紙の裏面に、接着剤３を介し面ファスナーのループ材４が積層されたものである。本実施例による面ファスナーのループ材４に替え、起毛状の織布、あるいは不織布を用いてもよい。
【００３３】
この場合の接着剤３としては、例えば、湿気硬化型の一液型ウレタン系接着剤、各種のホットメルト型接着剤を使用することができる。
【００３４】
本実施例においては、壁紙２の裏面側には面ファスナーのループ材４が接着剤３を介して積層されているが、裏面側には面ファスナーのフック材を接着してもよい。また、壁紙の裏面全面に亘って面ファスナーのループ材が積層されているが、全面に積層する必要はなく、要は、壁紙を後記する壁面に面ファスナーを介して固定し得る程度に積層すればよい。ただし、壁紙を所望の大きさに裁断して使用する点を考慮すると、裏面全体に亘って積層しておくのが好ましい。
【００３５】
一方、上記の壁材１を面ファスナーの繋合により固定する壁面５は、例えば、石膏ボードあるいは既設した壁紙７の表面側に、上記した壁材１の裏面に積層した面ファスナーのループ材に対応して繋合・脱着自在なフック材６を、接着剤８を介して積層したものである。
【００３６】
本実施例においては、石膏ボードあるいは既設済みの壁紙７の表面側には面ファスナーのフック材６が接着剤８を介して積層されているが、表面側には面ファスナーのループ材を接着・積層してもよい。また、石膏ボードあるいは既設済みの壁紙７の表面全面に渡って面ファスナーのフック材６が積層されているが、全面に積層する必要はなく、要は、壁紙を後記する壁面に面ファスナーを介して固定し得る程度に積層すればよい。
【００３７】
本発明が提供する壁材にあっては、図１（ａ）に示した壁材の裏面側に積層された面ファスナー（面ファスナーのループ材）４と、図１（ｂ）に示した壁面に積層した面ファスナー（面ファスナーのフック材）６とが繋合することにより壁面上に壁紙が容易に繋合固定されることとなる。
【００３８】
一方、一旦繋合固定した両者を強く引っ張ることにより、面ファスナーによる繋合が解除され、両者は容易に脱着することができることとなる。したがって、上記により繋合固定された壁材の壁紙が古くなった場合とか、汚れた場合などには、容易にその取替えができ得るものであり、また、部屋の雰囲気を変えたいときなど、所望の意匠を有する壁紙を用いた壁材を使用して、模様替えを容易になし得る。
【００３９】
本発明が提供する壁材を用いる固定施工方法は、壁面全面を壁材で固定することは勿論のこと、その一部を壁材で固定するのに好ましく使用される。具体的には、腰壁部分の固定を行うのに好適に使用することができる。また、腰壁等の壁面のみならず、金属事務用品、家具の表面、古くなった家具の表面を模様替えするのにも好適である。特に金属性の事務用品の表面に木目調の壁紙を施工することで、部屋の雰囲気として、温かみをかもし出すことができる。
【００４０】
次に、具体的実施例に基づく腰壁への壁材の固定施工方法を、図２にしたがって説明する。
【００４１】
図２は、具体的な腰壁に適用した本発明の壁材の施工方法についての概略図である。すなわち、例えば、壁面の下部の高さが約９０ｃｍ、幅約２７０ｃｍの腰壁として、既設した壁面上に面ファスナーのフック材１０を、接着剤を介して貼着する。この場合にあっては、壁面の腰壁部分の全面に面ファスナーのフック材を貼着する必要はなく、例えば、壁材（本実施例にあっては、巾９２ｃｍ×高さ９０ｃｍ四方の壁材を、繋合固定し得る部分に貼着させればよい。
【００４２】
本実施例にあっては、例えば腰壁の内周部を覆う部分、さらにはその中間部を補強する部分にのみを面ファスナーを貼着させている。なお、壁材が隣り合う部分（ジョイント部分）１０ａには、幾分広めにフック材を貼着しておけばよい。
【００４３】
次いで、壁面上に接着した面ファスナーのフック材１０を介して壁材１１を固定する。この固定は、壁材の裏面側に積層されている面ファスナーのループ材と、壁面上に接着した面ファスナーのフック材１０の繋合固定により行われる。
なお、この場合にあっても、巾９０ｃｍを有するものを横方向にして一枚で貼着することも可能である。
【００４４】
本実施例で使用した壁材における壁紙は、例えば以下により製造されたものを用いた。
坪量６５ｇ／ｍ２の裏打紙に、塩化ビニルペーストを塗布し、１４０℃にて乾燥、ゲル化した後グラビア印刷をし、２１０℃で発泡させ、エンボス加工を施した壁紙（製品重量３１０ｇ／ｍ２）を使用した。
上記で製造された壁紙の裏面に、一液型ウレタン樹脂系接着剤（湿気硬化型）を平均付着量２０ｇ／ｍ２で塗布し、面ファスナーのループ材：ＴＲ５０２４をラミネートし、ラミネート後、温度２５℃×湿度６０％にて２日間養生し、接着剤を硬化させ、壁紙裏面に面ファスナーのループ材を積層させ、巾９２ｃｍ×高さ約９０ｃｍに裁断して、壁材を得た。
【００４５】
また、図２に示した腰壁について、壁面上に接着、積層した面ファスナーのフック材１０は、ＮＣ−２０４１（ポリプロピレン製）を用いた。
【００４６】
この方法によれば、簡便な方法により壁面に所望の模様を有する壁紙を施工することができ、また、壁紙が汚れた場合には、壁面上には面ファスナーのフック材がそのまま積層されていることから、何回でも新しい壁材を繋合、固定することができ、接着剤を用いて接着する方法に比較して容易にその取替えを行い得るものである。
【００４７】
【発明の効果】
以上記載のように、本発明は面ファスナーによる壁紙の固定施工法を提供するものであり、短期間で、簡便かつ安価に施工が可能であり、しかも取り外しがきわめて容易な壁紙を積層した壁材、および当該壁材を壁面に固定・施工しうる方法である。
【００４８】
本発明が提供する壁材の施工方法による壁紙の固定は、接着剤塗布による施工と異なり、面ファスナーによる施工のため、作業極めて簡単なものであり、一般消費者であっても簡単に作業し得る利点を有している。そのうえ、面ファスナーによる固定施工であるため、壁紙自体の剥離が極めて容易なものであり、したがって、壁紙を容易に取り替えることができ、リフォーム時、あるいは生活様式の変化に合わせ、さらには消費者の好みに応じた壁紙を壁面に施工しうる利点を有している。
【００４９】
さらに、本発明の壁材の施工方法は、特に腰壁部分の壁紙の取替えに効果的であり、腰壁部分を汚れに応じ、適宜腰壁部分を取り替えることが可能となり、いつでも清潔な壁面を有する部屋にしておくことができる利点を有している。
また本発明は、部屋の壁面に対する壁紙の簡便な施工のみならず、家具等の表面にも所望の意匠を有する壁紙を被覆し得る利点を有しており、その応用性は極めて大きなものである。
さらに、壁等の全面に施さなくとも既存の壁紙の上に部分的に使用することによって、室内の模様替え等を簡単に行うことが可能となる。
【図面の簡単な説明】
【図１】図１は、本発明が提供する壁材が面ファスナーの繋合により固定される前の状態の一実施例に基づく壁材の断面図、および壁材が固定される側の壁面の断面図である。
【図２】図２は、本発明の壁材の施工方法についての概略図である。
【符号の説明】
１      壁材
２      壁紙
３、８  接着剤
５      壁面
４、６  面ファスナー
７      下地材
１０    面ファスナー（フック材）
１１    壁材
【図１】
2005016169.tif 000003
【図２】
2005016169.tif 000004